(57)【要約】【課題】ＳＦ６ガス絶縁開閉器等のガス封入機器において、ガスを容易かつ効率よく回収出来る、ガス封入機器のガス回収装置を提供する。【解決手段】立設した円盤１ａの後面に円柱体８の前端を固定させて回収栓本体１を成し、円柱体８の後端から円盤１ａに貫通孔４を穿ち、円盤１ａの前面の貫通孔４の開口部４ａ周縁に内周パッキン７を設け、内周パッキン７の外側に外周パッキン５を設け、円柱体８の外周面に固定用吸引口１０を設け、固定用吸引口１０から内周パッキン７と外周パッキン５との間の円盤１ａ前面の開口部に至る吸引通路を設け、円柱体８の外周面に、貫通孔４に至るガス回収用吸引口１１を設け、円柱体８の後端の貫通孔４の開口部を被う蓋体１２を設け、蓋体１２に穿った小孔からハンドドリルＢの先端部Ｂ１を貫通孔４内に摺動回転自在に挿入し、ハンドドリルＢと蓋体１２の小孔との間にＯリング１２ａを介在させた。【選択図】        図１
2008098080.tif 000002
【特許請求の範囲】
【請求項１】
立設した板体の後面中央部に短円柱体の前端を当接、固定させて回収栓本体を形成し、当該回収栓本体の短円柱体の後端から板体の前面に貫通孔を穿ち、前記板体の前面の貫通孔の開口部周縁に環状の内周パッキンを突出させて設け、当該内周パッキンの外側の板体前面に環状の外周パッキンを突出させて設け、前記短円柱体の外周面に固定用吸引口を設け、当該固定用吸引口から回収栓本体内を通って、前記内周パッキンと外周パッキンとの間の板体前面に設けた開口部に至る吸引通路を設け、前記短円柱体の外周面に、前記貫通孔に達するガス回収用吸引口を設け、前記短円柱体の後端の貫通孔の開口部を被う蓋体を設け、当該蓋体の中央部に穿った小孔からドリルの先端部を前記貫通孔内に摺動自在かつ回転自在に挿入し、当該ドリルと前記蓋体の小孔との間に密封部材を介在させたことを特徴とする、ガス封入機器のガス回収装置。
【請求項２】
前記蓋体から伸びたドリルの柄の外周に締め付け自在なセットカラーを設け、当該セットカラーが蓋体に当接すると、ドリルは回収栓本体の貫通孔内を前記板体側に摺動出来ない構成としたことを特徴とする、前記請求項１に記載のガス封入機器のガス回収装置。
【請求項３】
前記密封部材は、蓋体の小孔に設けた大径部の段部に収納されたＯリングであることを特徴とする、前記請求項１に記載のガス封入機器のガス回収装置。
【請求項４】
前記セットカラーは、蓋体に固定された枠体内のドリルの柄に取り付け自在であることを特徴とする、前記請求項２に記載のガス封入機器のガス回収装置。
【発明の詳細な説明】
【技術分野】
【０００１】
この発明は、ガスを絶縁媒体として封入使用している開閉器等の機器を廃棄する時、当該ガスを回収するためのガス封入機器のガス回収装置に関するものである。
【背景技術】
【０００２】
従来、開閉器として、母線、単極モールド等を全て密閉した空間内に組み込み、この空間内に、絶縁媒体として、消弧能力が高く、コロナ放電やアーク放電に対して高い安定性を有するＳＦ６（六フッ化硫黄）ガスを入れたＳＦ６ガス絶縁開閉器があり、このＳＦ６ガス絶縁開閉器は、外部の天候や汚損に影響されることなく、信頼性の高いものとして広く使用されている。
【特許文献１】特公平６−９３３３９号公報
【０００３】
しかしながら、このＳＦ６ガスは、二酸化炭素やフロンガスとともに地球温暖化ガスとなっており、環境問題等を考慮すると、ＳＦ６ガス絶縁開閉器ではなく、気中開閉器が設置される傾向にあり、既存のＳＦ６ガス絶縁開閉器は、将来的に廃棄処分されることが考えられるため、効率よくガス回収作業を行うことが求められる。
【発明の開示】
【発明が解決しようとする課題】
【０００４】
しかし、廃棄される、ＳＦ６ガス絶縁開閉器からこのＳＦ６ガスを回収するためには、回収のための封入口を設けるために機器を分解することもあり、作業に時間がかかっていた。
【０００５】
そこで、この発明は、ＳＦ６ガス絶縁開閉器等のガス封入機器において、ガスを容易かつ効率よく回収出来る、ガス封入機器のガス回収装置を提供するものである。
【課題を解決するための手段】
【０００６】
請求項１の発明は、立設した板体の後面中央部に短円柱体の前端を当接、固定させて回収栓本体を形成し、当該回収栓本体の短円柱体の後端から板体の前面に貫通孔を穿ち、前記板体の前面の貫通孔の開口部周縁に環状の内周パッキンを突出させて設け、当該内周パッキンの外側の板体前面に環状の外周パッキンを突出させて設け、前記短円柱体の外周面に固定用吸引口を設け、当該固定用吸引口から回収栓本体内を通って、前記内周パッキンと外周パッキンとの間の板体前面に設けた開口部に至る吸引通路を設け、前記短円柱体の外周面に、前記貫通孔に達するガス回収用吸引口を設け、前記短円柱体の後端の貫通孔の開口部を被う蓋体を設け、当該蓋体の中央部に穿った小孔からドリルの先端部を前記貫通孔内に摺動自在かつ回転自在に挿入し、当該ドリルと前記蓋体の小孔との間に密封部材を介在させたガス封入機器のガス回収装置とした。
【０００７】
請求項２の発明は、前記蓋体から伸びたドリルの柄の外周に締め付け自在なセットカラーを設け、当該セットカラーが蓋体に当接すると、ドリルは回収栓本体の貫通孔内を前記板体側に摺動出来ない構成とした前記請求項１に記載のガス封入機器のガス回収装置とした。
【０００８】
請求項３の発明は、前記密封部材は、蓋体の小孔に設けた大径部の段部に収納されたＯリングである前記請求項１に記載のガス封入機器のガス回収装置とした。また、請求項４の発明は、前記セットカラーは、蓋体に固定された枠体内のドリルの柄に取り付け自在である前記請求項２に記載のガス封入機器のガス回収装置とした。
【発明の効果】
【０００９】
請求項１の発明によれば、このガス回収装置の板体前面をガス封入機器のガス室の一側面に当接させ、ガス回収装置の固定用吸引口から板体前面の外周パッキン及び内周パッキンによって囲まれた空間内の空気を吸引して当該空間内を真空にすると、これらの各パッキンが前記吸引のために変形し、強固かつ確実に、当該ガス回収装置をガス室の一側面に取り付けることが出来、さらに、前記外周パッキン及び内周パッキンによって囲まれた空間と、当該内周パッキンによって囲まれた板体の前面の貫通孔の開口部が位置する空間とを、強固かつ確実に、遮断するので、当該後者の空間内を前後に移動及び固定自在なドリルによって前記ガス封入機器のガス室の一側面を切削して当該箇所に穴をあけ、当該ガス室内のガス回収が効率的に行える。
【００１０】
この様に、簡単に、ガスを回収することができるので、ガス封入機器を分解する必要がなく、多機種のガス回収にも使用することが出来、作業効率が著しく向上する。
【００１１】
請求項２の発明によれば、前記蓋体から伸びたドリルの柄の外周に締め付け自在なセットカラーを設け、当該セットカラーが蓋体に当接すると、ドリルは回収栓本体の貫通孔内を前記板体側に摺動出来ない構成としたので、安全であり、ガス封入機器内の部材を傷つけずにガスが回収出来、無駄な作業をすることなく、より効率的に作業が出来る。
【００１２】
請求項３の発明によれば、前記密封部材は、蓋体の小孔に設けた大径部の段部に収納されたＯリングとしたので、容易かつ確実に、ドリルの先端部が挿入された回収栓本体の短円柱体内を密閉することが出来る。また、請求項４の発明によれば、前記セットカラーは、蓋体に固定された枠体内のドリルの柄に取り付け自在としたので、セットカラーが外部に露出せず保護され、作業者がセットカラーに触れずに安全に作業が出来、前記セットカラーの役目を確実に行うことが出来る。
【発明を実施するための最良の形態】
【００１３】
立設した板体の後面中央部に短円柱体の前端を当接、固定させて回収栓本体を形成し、当該回収栓本体の短円柱体の後端から板体の前面に貫通孔を穿ち、前記板体の前面の貫通孔の開口部周縁に環状の内周パッキンを突出させて設け、当該内周パッキンの外側の板体前面に環状の外周パッキンを突出させて設ける。
【００１４】
前記短円柱体の外周面に固定用吸引口を設け、当該固定用吸引口から回収栓本体内を通って、前記内周パッキンと外周パッキンとの間の板体前面に設けた開口部に至る吸引通路を設け、前記短円柱体の外周面に、前記貫通孔に達するガス回収用吸引口を設け、前記短円柱体の後端の貫通孔の開口部を被う蓋体を設け、当該蓋体の中央部に穿った小孔からドリルの先端部を前記貫通孔内に摺動自在かつ回転自在に挿入し、当該ドリルと前記蓋体の小孔との間に密封部材を介在させた。
【００１５】
これらにより、このガス回収装置の板体前面をガス封入機器のガス室の一側面に当接させ、ガス回収装置内の一部の空間を真空にすると、強固かつ確実に、当該ガス回収装置をガス室の一側面に取り付けることが出来、さらに、前記空間と、前記内周パッキンによって囲まれた空間とを遮断するので、ガス封入機器のガス回収が効果的に出来る。
【実施例１】
【００１６】
以下、この発明の実施例を図に基づいて説明する。
図１は、この発明の実施例のガス回収装置を使用してガス絶縁開閉器のガスを回収する様子を示す一部縦断面図であり、図２は、この発明の実施例の回収栓本体の縦断面図であり、図３は、同回収栓本体の前面を示す側面図であり、図４は、同回収栓本体の後面を示す側面図である。
【００１７】
この発明の実施例のガス回収装置Ａの回収栓本体１は、立設した円盤１ａの後面中央部に短い円柱体８の前端を当接、固定させてこの円柱体８を水平に設け、また、この円柱体８の外周面に断面略台形状の環状突部９を設けて形成している。この回収栓本体１の円柱体８の後端から円盤１ａの前面に至る貫通孔４を穿ち、この貫通孔４は、円盤１ａの開口部４ａで段部を設けて小径の貫通孔と成っている。
【００１８】
前記円盤１ａの前面の外周端縁には、外壁２を形成してその内側に円形状の凹部３を設け、この凹部３の中央に前記貫通孔４の開口部４ａが位置している。そして、この円盤１ａ前面の外壁２の内周縁に環状の外周パッキン５をその外周縁が外壁２から外側に一定長突出した状態で取り付け、また、この円盤１ａ前面の貫通孔４の開口部４ａの外周縁に外壁６を設け、この外壁６の外周縁に環状の内周パッキン７をその外周縁が外壁６を越えて一定長内側に突出した状態で取り付けている。これらの二つの、外周パッキン５と内周パッキン７の取り付けは、これらの外周パッキン５と内周パッキン７の凹部３上の間に、環状の押さえ金具１７を嵌め込んで４本のビス１７ａで螺着して、回収栓本体１に固定することにより、当該押さえ金具１７の外周縁及び内周縁の各突縁で外周パッキン５及び内周パッキン７の基部を押さえて行っている（図１参照、図２ではビス１７ａの記載を省略）。
【００１９】
前記環状突部９の外側面の一個所には、当該環状突部９及び前記円柱体８内を通じて前記円盤１ａの前面凹部３の押さえ金具１７の開口部３ａに通じた固定用吸引口１０を設け、当該環状突部９の前記固定用吸引口１０と対称の位置に前記円柱体８の貫通孔４に通じたガス回収用吸引口１１を設けている。
【００２０】
また、前記円柱体８の前記貫通孔４の後端の開口面を塞ぐための蓋体１２を設けている。図５は、このガス回収装置Ａの蓋体１２を示す説明図である。この蓋体１２は、二つのＯリング１２ａ、一つの環状のスペーサー１２ｂ、これらのＯリング１２ａとスペーサー１２ｂを収納する前部蓋体１２ｃと、前記Ｏリング１２ａを押さえる役目の後部蓋体１２ｄから成る。前記前部蓋体１２ｃは中央に貫通小孔１２ｆを有し、この貫通小孔１２ｆの段部内に前記スペーサー１２ｂを挟んで  二つのＯリング１２ａを挿入している。また、その外周にＯリング１２ｅを被冠している。後部蓋体１２ｄは中央に貫通小孔１２ｇを穿った円板から成っている。これらの前部蓋体１２ｃ及び後部蓋体１２ｄは円柱体８の後端面にボルト１２ｈにより固定自在となっている。
【００２１】
さらに、後述するハンドドリルＢの先端部Ｂ１が必要以上にガス絶縁開閉器Ｃのガス室内に切削侵入しないように、当該ハンドドリルＢの柄部Ｂ２に取り付けるセットカラー１３を設けている（図１参照）。図６は、ガス回収装置Ａのセットカラー１３の正面図であり、図７は、同側面図である。このセットカラー１３は、一定厚を有する環状で外周縁の一個所から内周縁に至る切り欠き１３ａを設けており、この切り欠き１３ａを形成する両側面にボルト１３ｂを直交させ、このボルト１３ｂを締め付けることにより、環状部分の内側に嵌め入れられたハンドドリルＢの柄部Ｂ２を締め付けて柄部Ｂ２に固定するようになっている。
【００２２】
また、このセットカラー１３をハンドドリルＢに取り付ける際、半枠体１４の中にこのセットカラー１３を嵌め入れて取り付ける。図８は、この半枠体１４の正面図であり、図９は、同側面図である。この半枠体１４は、一側が切欠された伏椀状の中央に貫通孔１４ａを設け、この貫通孔１４ａに続いた中空凹部１４ｂを形成している。
【００２３】
取り付けには、まず、ハンドドリルＢの先端部Ｂ１をこれらの半枠体１４の貫通孔１４ａとセットカラー１３の内周縁の中に順に挿入し、この状態で、ハンドドリルＢの先端部Ｂ１を前記ガス回収装置Ａの蓋体１２の貫通小孔１２ｇ、１２ｆ内に挿入し、前記半枠体１４の開口縁を蓋体１２の後端縁に被せて固定する。その後、前記ガス絶縁開閉器Ｃのガス室内に切削侵入させる長さに応じて、適切な位置で当該ハンドドリルＢの柄部Ｂ２においてセットカラー１３を締め付けて固定する。
図１０は、このガス回収装置の後面を示す側面図である。
【００２４】
前記ガス回収装置Ａ内に挿入したハンドドリルＢの先端部Ｂ１をそのまま進め前記円盤１ａの貫通孔４内に位置させる。この様にハンドドリルＢの先端部Ｂ１は、ガス回収装置Ａの貫通孔４内において、回転自在かつ前後方向に一定距離移動自在となっているが、当該ハンドドリルＢの柄部Ｂ２に設けた前部蓋体１２ｃの二つのＯリング１２ａによって蓋体１２の貫通孔１２ｆとハンドドリルＢとの隙間を密閉している。
【００２５】
次に、このガス回収装置Ａを使用してガス絶縁開閉器Ｃのガスを回収する。
ガス絶縁開閉器Ｃのガスが充填されたガス室の外側の一側面に、前記ガス回収装置Ａの円盤１ａの前面の外周パッキン５及び内周パッキン７を当接させ、当該ガス回収装置Ａの環状突部９の外周面に設けた固定用吸引口１０に、真空ポンプの吸込み口１５を取り付け、前記円盤１ａ前面の外周パッキン５と内周パッキン７とによって囲まれた空間の空気を吸入して当該空間内を真空状態にして当該ガス回収装置Ａを当該ガス室に固定する。この時、前記ガス回収装置Ａの各外周パッキン５及び内周パッキン７が前記吸引のための圧力により押圧されて変形し、ガス絶縁開閉器Ｃのガスが充填されたガス室の外側の一側面に、強力に固定する。
【００２６】
また、この時、内周パッキン７の変形により外周パッキン５及び内周パッキン７によって囲まれた空間と、この内周パッキン７によって囲まれた前記円盤１ａ前面の貫通孔４の開口部４ａが位置する空間とを完全に遮断するので、当該円盤１ａ前面の開口部４ａから貫通孔４内に至る空間が別空間となる。
【００２７】
この後、前記ハンドドリルＢを回転進行させて前記ガス絶縁開閉器Ｃのガス室の一側面に切削孔を穿つ。この時、このハンドドリルＢの柄部Ｂ２には上述の通り、セットカラー１３を取り付けているので、ハンドドリルＢの先端部Ｂ１が必要以上にガス室内に侵入しようとしても、当該ハンドドリルＢの柄部Ｂ２において、セットカラー１３が当該ガス回収装置Ａの蓋体１２に衝突して、進むことが出来ない。その後、この円柱体８のガス回収用吸引口１１に、予め取り付けられたガス吸引機の吸込み口１６から、前記円盤１ａの前面の開口部４ａ及び貫通孔４を通して前記ガス室内のガスを吸引する。この時、ガス回収のためにガス室の一側面に切削孔を穿った部分を周囲との間で気密とするための内周パッキン５の圧接力に前記真空による吸引力を使用しており、ガスが周囲に漏れることがない。
【００２８】
この時、ハンドドリルＢの切削による切屑もガスと一緒に吸引されるが、吸込み口１６のホース内にフィルタを設けることにより集塵することが出来る（図示省略）。ガスを完全に吸引した後は、前記真空ポンプの吸込み口１５及びガス吸引機の吸込み口１６を取り外し、一体となっているハンドドリルＢとガス回収装置Ａをガス絶縁開閉器Ｃのガス室の一側面から外し、ハンドドリルＢの先端をガス回収装置Ａから外して終了となる。
【００２９】
なお、前記実施例において、ガス回収装置Ａの円盤１ａ前面の外壁２の全周にパッキンを取り付けるのに、この円盤１ａ前面の外壁２の内周に環状の外周パッキン５をその外周縁が外壁２から外側に突出した状態で取り付け、また、この円板１前面の貫通孔４の外壁６全周にパッキンを取り付けるのに、この外壁６の外周縁に環状の内周パッキン７をその外周縁が外壁６を越えて内側に突出した状態で取り付けているが、その取り付け方は、これらの方法に限定するものではなく、外周パッキン５と内周パッキン７によって囲まれた空間が形成出来、吸引による内周パッキン７の変形により、前記空間と環状の内周パッキン７によって囲まれた空間とを遮断出来るものであれば、外壁２、外壁６は無くても良い。さらに、これらのパッキンは円盤１ａに取り付けるものではなく、円盤１ａと一体に形成されているものでもよい。
【００３０】
また、板体を円盤１ａとしているが、板体は円盤１ａに限らず、どの様な形状でも良い。さらに、蓋体１２として、二つのＯリング１２ａ、環状のスペーサー１２ｂ、これらのＯリング１２ａとスペーサー１２ｂを収納する前部蓋体１２ｃと、前記Ｏリング１２ａを押さえる役目の後部蓋体１２ｄから成るものとしているが、蓋体１２の構成としては、これらに限定するものではなく、他の構成でもよい。
【００３１】
また、セットカラー１３は必ずしも必要ではなく、また、当該セットカラー１３を半枠体１４の内側に嵌め入れてハンドドリルＢに取り付けているが、セットカラー１３を取り付けるのに半枠体１４は必ずしも必要とするものではない。また、半枠体１４の形状もこれに限るものではない。
【図面の簡単な説明】
【００３２】
【図１】この発明の実施例のガス回収装置を使用してガス絶縁開閉器のガスを回収する様子を示す一部縦断面図である。
【図２】この発明の実施例の回収栓本体の縦断面図である。
【図３】この発明の実施例の回収栓本体の前面を示す側面図である。
【図４】この発明の実施例の回収栓本体の後面を示す側面図である。
【図５】この発明の実施例のガス回収装置の蓋体を示す説明図である。
【図６】この発明の実施例のガス回収装置のセットカラーの正面図である。
【図７】この発明の実施例のガス回収装置のセットカラーの側面図である。
【図８】この発明の実施例のガス回収装置の半枠体の正面図である。
【図９】この発明の実施例のガス回収装置の半枠体の側面図である。
【図１０】この発明の実施例のガス回収装置の表面を示す側面図である。
【符号の説明】
【００３３】
Ａ    ガス回収装置                    Ｂ    ハンドドリル
Ｃ    ガス絶縁開閉器
１    回収栓本体                      １ａ  円盤
２    外壁                            ３    凹部
３ａ  開口部                          ４    貫通孔
４ａ  開口部                          ５    外周パッキン
６    外壁                            ７    内周パッキン
８    円柱体                        １０    固定用吸引口
１１    ガス回収吸引口                １２    蓋体
１３    セットカラー
【図１】
2008098080.tif 000003
【図２】
2008098080.tif 000004
【図３】
2008098080.tif 000005
【図４】
2008098080.tif 000006
【図５】
2008098080.tif 000007
【図６】
2008098080.tif 000008
【図７】
2008098080.tif 000009
【図８】
2008098080.tif 000010
【図９】
2008098080.tif 000011
【図１０】
2008098080.tif 000012